(57)【特許請求の範囲】
【請求項１】
アームの先端部に回転自在に設けた回転シャフトとこれに取り付けられる転写ローラーと、鍋固定治具とこれを回転駆動させるモーターを備え、転写ローラーの表面には模様が刻印され、転写ローラー及び鍋を回転させることにより、転写ローラーの刻印形状を鍋表面に自動的に転写させることができる炊飯器用鍋刻印装置。
【発明の詳細な説明】
【０００１】
【発明の属する技術分野】
本発明は、炊飯器本体に着脱自在に収納される炊飯器用鍋に関するものである。
【０００２】
【従来の技術】
従来、炊飯器用鍋は、加熱効率や意匠性の向上を目的として、外周面に凹凸加工や何らかの刻印模様を施していた。このような凹凸加工や刻印模様を施す場合、プレス成形後の鍋の外周面に、ポンチにより凹凸加工や刻印模様を施すのが一般的であり、その場合、手打ちまたは刻印プレス機械を使用して施していた。
【０００３】
ポンチによる手加工にて凹凸加工や刻印模様を施す場合、プレス成形後の炊飯器用鍋の側面や底面に刻印模様を１個づつ打ち付け、また、刻印プレス機械による場合は、作業者がプレス成形済み炊飯器用鍋を回転させつつ、刻印プレス機械によって手加工と同様に刻印模様を１個づつ打ち付けていくのが通常である。
【０００４】
【発明が解決しようとする課題】
しかしながら、手加工にて凹凸加工や刻印模様を施す場合は、作業者に熟練が必要で、手加工では１回１回の刻印ごとに打ち付け強さが異なるために、外周面の凹凸加工や刻印模様は、刻印深さの違いが生じるほか、手加工であるため刻印模様の不均一さを生じることは免れず、ときには製品に大きな変形を生じるため、結果として製品に不均一性を生じ、意匠性や加熱効率が劣るという問題を有していた。
【０００５】
また、刻印プレスによる場合も、刻印を施す工程に機械が導入されているのみで、多くの工程は手作業であり、刻印模様に不均一さを生じやすい点や、ときには製品に大きな変形が生じる点、加工作業が長く非効率的な点では同様で、結果として製品に不均一性を生じ、意匠性や加熱効率が劣るという問題を有していた。
【０００６】
本発明は上記従来の課題を解決するもので、鍋の周方向の全周にわたって刻印の大きさ、深さが同じで、均一な刻印を施した鍋とし、同品質の鍋を安定して提供できるようにするとともに、意匠性を向上し、加熱効率を向上することを目的としている。
【０００７】
【課題を解決するための手段】
本発明は上記目的を達成するために、アームの先端部に回転自在に設けた回転シャフトとこれに取り付けられる転写ローラーと、鍋固定治具とこれを回転駆動させるモーターを備え、転写ローラーの表面には模様が刻印され、転写ローラー及び鍋を回転させることにより、転写ローラーの刻印形状を鍋表面に自動的に転写させることができる炊飯器用鍋刻印装置であって、鍋の外周面に、転写ローラーより転写した刻印を全周にわたって形成したものである。
【０００８】
これにより、鍋の周方向の全周にわたって、刻印の大きさ、深さが同じで、均一な刻印を施した鍋とすることができ、同品質の鍋を安定して提供することができるとともに、意匠性を向上することができて、加熱効率を向上することができる。
【０００９】
【発明の実施の形態】
本発明の請求項１に記載の発明は、アームの先端部に回転自在に設けた回転シャフトとこれに取り付けられる転写ローラーと、鍋固定治具とこれを回転駆動させるモーターを備え、転写ローラーの表面には模様が刻印され、転写ローラー及び鍋を回転させることにより、転写ローラーの刻印形状を鍋表面に自動的に転写させることができる炊飯器用鍋刻印装置であって、転写ローラーにより鍋の外周面に刻印を転写することで、鍋の周方向の全周にわたって刻印の大きさ、深さが同じで、均一な刻印を施した鍋とすることができ、同品質の鍋を安定して提供することができるとともに、刻印加工による加工硬化により鍋の寸法安定性が高く、安定した調理性能を長年月にわたり確保することができ、さらに、転写ローラーの刻印模様を変えることにより、刻印の形状や深さなどを任意に、かつ容易に変えることができ、意匠性を向上することができるとともに鍋表面の刻印により表面積が増え、加熱効率を向上することができ、調理物の対流がより活発となって、均一加熱が実現できる。
【００１０】
また、異なる位置に設けた複数の転写ローラーにより鍋の外周面に刻印を転写することで、鍋の周方向の全周にわたって、かつ上下方向に複数段連続して、刻印の大きさ、深さが同じで、均一な刻印を施した鍋とすることができるとともに、刻印加工による加工硬化により鍋の寸法安定性が高く、安定した調理性能を長年月にわたり確保することができ、さらに、意匠性を向上することができるとともに鍋表面の刻印により表面積が増え、加熱効率を向上することができ、調理物の対流がより活発となって、均一加熱が実現できる。
【００１１】
また、異なる位置に設けた複数の転写ローラーにより鍋の外周面に刻印を転写するとき、転写ローラーを鍋に押し当てる押圧力を転写ローラーによって変えることで、押圧力が大きい転写ローラーにより転写された刻印模様または刻印の深さは深く、押圧力が小さい転写ローラーにより転写された刻印模様または刻印の深さは浅く形成した鍋を得ることができ、さまざまな模様や深さの刻印とすることができ、意匠性を向上することができる。
【００１２】
また、転写ローラーにより鍋の外周面に刻印を転写するとき、鍋が１回転する間に転写ローラーが鍋に押し当てられる圧力を自由に調整することで、周方向に深さが異なる刻印を形成することができ、意匠性をさらに向上することができる。
【００１３】
また、転写ローラーにより鍋の外周面に刻印を転写するとき、転写ローラーと鍋の回転速度に２０％以上の差をもたせることで、転写ローラーと鍋とが互いが滑り合い、鍋の表面に光沢が生じることにより、一層意匠性を向上することができる。
【００１４】
【実施例】
以下、本発明の一実施例について、図面を参照しながら説明する。
【００１５】
図１に示すように、鍋１は、電磁誘導加熱用炊飯器（図示せず）に着脱自在に収納されるもので、厚さ１．５ｍｍのアルミニウム材と厚さ０．５ｍｍのステンレス材からなる２層クラッド材を、内径２２０ｍｍにプレス成形して形成している。この鍋１の外周面に転写ローラーにより転写した楕円形の刻印２を、周方向の全周にかつ上下方向に４段に施している。ここで、刻印２の形状を楕円としているが、真円や多角形であってもよく、形状、模様、刻印深さは各段ごとに形状、模様、刻印深さを変えてもよい。
【００１６】
ここで、上述のような鍋１の外周面に刻印２を施す刻印装置について、図２および図３を参照しながら説明する。
【００１７】
図２および図３に示すように、鍋固定治具３は、プレス成形した鍋１を固定するもので、この鍋固定治具３に鍋１を下向けに載置した状態で、上方より鍋１をスリップしないように鍋押え治具４により押えるよう構成し、鍋固定治具３をモータ９により回転駆動するようにしている。このとき、鍋１が確実に固定されるように、鍋押え治具４は鍋１を上方向から押えながら、鍋１の回転と同時に同方向に回転するようにしている。
【００１８】
転写ローラー５は、それぞれが独立に駆動する４台のアーム６の先端部に、回転自在に設けた回転シャフト７に取り付けている。本実施例では、それぞれの転写ローラー５には楕円模様が施されており、これを鍋１に押し当てると、楕円模様が転写される。ここで、４台のアーム６に取り付けた各転写ローラー５の据え付け高さはそれぞれ異なり、それぞれの転写ローラー５が鍋１の異なる部位に同時に刻印模様を転写できるようにしている。
【００１９】
また、４台の各アーム６は、鍋固定治具３に固定した鍋１の中心方向に圧力をかけるようになっている。ギヤ８はセットされた鍋１を加工終了時に鍋固定治具３よりスムースに引き抜くために設けている。
【００２０】
つぎに、鍋１の周方向の全周にわたって、刻印を施すときの動作について説明する。
【００２１】
まず、図２および図３に示すように、プレス成形された鍋１を鍋固定治具３にセットし、スリップしないように鍋押え治具４で上方より炊飯器用鍋１を押える。その後、アーム６を油圧により鍋１の中心方向へ移動し、４個の転写ローラー５を鍋１の側面に押し付け、モータ９の駆動力により鍋固定治具３を回転させて鍋１を回転させる。
【００２２】
鍋１の回転により、鍋１に押し付けられた転写ローラー５が回転し、この転写ローラー５の回転によって、鍋１の外周面に、転写ローラー５より転写した刻印２を全周にわたって形成することができる。
【００２３】
鍋１が１回転して、転写ローラー５の刻印模様が鍋１へ転写終了すると、アーム６が後退し、転写ローラー５が鍋１から離れるとともに、鍋押え治具４も上昇して鍋１から離れる。この後、ギア８が作動し、押し上げシャフト１０が上昇して鍋１を押し上げることにより、鍋１は鍋固定時具３より開放され、容易に鍋１を取り出すことができる。
【００２４】
なお、刻印加工時に、鍋１と鍋固定治具３の間でスリップが発生する場合は、回転シャフト７に駆動力を伝え、転写ローラー５を駆動することによりスリップを防止することができる。
【００２５】
このようにして、鍋１の外周面に、転写ローラー５より転写した刻印を全周にわたって形成しているので、鍋１の周方向の全周にわたって刻印の大きさ、深さが同じで、均一な刻印を施した鍋１を得ることができる。また、転写ローラー１の刻印模様を変えることにより、刻印の形状や深さなどを任意に、かつ容易に変えることができ、意匠性を向上することができ、加熱効率を向上することができる。
【００２６】
また、４個の転写ローラー５を高さを変えて鍋１に押し付けるので、４段の刻印２を上下方向に連続して同時に形成することができ、鍋１の周方向の全周にわたって、かつ上下方向に、刻印の大きさ、深さが同じで、均一な刻印を施した鍋を得ることができ、さらに意匠性を向上することができるとともに、加熱効率を向上することができる。
【００２７】
また、転写ローラー５を鍋１に押し当てる押圧力を転写ローラー５によって変えることで、転写ローラー５より転写した刻印を上下方向に刻印模様または刻印の深さが異なるよう形成することができ、さまざまな模様や深さの刻印とすることができ、意匠性を向上することができる。
【００２８】
また、転写ローラー５により鍋１の外周面に刻印を転写するとき、鍋１が１回転する間に転写ローラー５が鍋１に押し当てられる圧力を自由に調整することで、周方向に深さが異なる刻印を形成することができ、意匠性をさらに向上することができる。
【００２９】
また、転写ローラーにより鍋の外周面に刻印を転写するとき、転写ローラーと鍋の回転速度に２０％以上の差をもたせることで、転写ローラーと鍋とが互いが滑り合い、鍋の表面に光沢を有するようになり、一層意匠性を向上することができる。
【００３０】
【発明の効果】
以上のように本発明の請求項１に記載の発明によれば、鍋の周方向の全周にわたって刻印の大きさ、深さが同じで、均一な刻印を施した鍋とすることができ、同品質の鍋を安定して提供することができるとともに、刻印加工による加工硬化により鍋の寸法安定性が高く、安定した調理性能を長年月にわたり確保することができ、さらに、転写ローラーの刻印模様を変えることにより、刻印の形状や深さなどを任意に、かつ容易に変えることができ、意匠性を向上することができるとともに鍋表面の刻印により表面積が増え、加熱効率を向上することができ、調理物の対流がより活発となって、均一加熱が実現できる。
【図面の簡単な説明】
【図１】  本発明の一実施例の炊飯器用鍋の側面図
【図２】  同炊飯器用鍋の刻印加工装置の平面図
【図３】  同炊飯器用鍋の刻印加工装置の側面図
【符号の説明】
１  鍋
２  刻印
５  転写ローラー
【図１】
0003952713.tif 000002
【図２】
0003952713.tif 000003
【図３】
0003952713.tif 000004